(57)【特許請求の範囲】
【請求項１】
支持シート（２）と、液吸収層（３）と、前記液吸収層（３）を覆う透液性シート（４）と、受液側表面の幅方向の両側に基端（５ｂ，５ｄ）が接合されて縦方向へ延び自由端（５ｃ）が受液側から離れて位置する防漏側壁（５）とが設けられている吸収性物品（１）において、
前記防漏側壁（５）は、熱可塑性繊維で形成された不織布または熱可塑性繊維を含む不織布と、縦方向に弾性収縮力を発揮する弾性部材（９，９ａ）とを有し、
前記防漏側壁（５）を構成する前記不織布には、波の頂部（７ａ）と底部（７ｂ）が前記基端（５ｂ，５ｄ）から自由端（５ｃ）に向けて延び且つ波が縦方向に規則的に繰り返す凹凸皺（７）が成形された剛性領域が設けられており、
前記防漏側壁（５）の前記基端（５ｂ，５ｄ）と前記自由端（５ｃ）との中間領域に、前記凹凸皺（７）が形成されていないかまたは前記凹凸皺（７）の凹凸高さが低い帯状領域（８ａ）が、前記縦方向に延びて形成され、前記帯状領域（８ａ）と前記自由端（５ｃ）の双方に、縦方向へ弾性収縮力を発揮する前記弾性部材（９，９ａ）が取付けられており、
前記凹凸皺（７）と前記帯状領域（８ａ）との境界が、剛性境界部（１１）とされていることを特徴とする吸収性物品。
【請求項２】
前記自由端（５ｃ）に前記帯状領域（８）が設けられ、この帯状領域（８）に、前記弾性部材（９）が取付けられている請求項１記載の吸収性物品。
【請求項３】
前記自由端（５ｃ）に取付けられている前記弾性部材（９）の弾性収縮力が、前記中間領域の帯状領域（８ａ）に設けられている弾性部材（９ａ）の弾性収縮力よりも大きい請求項１または２記載の吸収性物品。
【請求項４】
前記防漏側壁（５）は、基端（５ｂ）から延びる不織布が、自由端（５ｃ）で折り返されて基端（５ｄ）に至ることにより、または基端から延びる複数の不織布が、前記自由端または他の領域で縦方向に接合されることにより少なくとも２枚の不織布により形成されており、前記２枚の不織布では、前記剛性領域と前記剛性境界部（１１）とが同じ位置に形成されている請求項１ないし３のいずれかに記載の吸収性物品。
【発明の詳細な説明】
【０００１】
【発明の属する技術分野】
本発明は、主に経血などの排泄液を吸収保持する吸収性物品に係わり、特に受液側において幅方向の両側に防漏側壁が設けられた吸収性物品に関する。
【０００２】
【従来の技術】
従来、生理用ナプキン、尿取りパッド、使い捨ておむつなどの吸収性物品が種々開発されている。これらの吸収性物品では、着用中において排泄液を液吸収層で確実に吸収し、排泄液が吸収性物品の外へ漏れないようにすることが求められる。そこで、吸収性物品の受液側表面において幅方向の両側に縦方向に延びる防漏側壁を形成したものがある。
【０００３】
従来の前記防漏側壁の構造は、吸収性物品のトップシート上に縦方向に延びる非伸縮性の疎水性シートが接合されており、この疎水性シートに、吸収性物品の縦方向に延びる弾性部材が接合されたものが一般的である。前記弾性部材の縦方向の弾性収縮力により、吸収性物品に縦方向に向かう湾曲力が作用するとともに、前記防漏側壁が吸収性物品の受液側に立ち上がり、これにより経血などの横漏れを防止できるようにしている。
【０００４】
【発明が解決しようとする課題】
しかし、前記の非伸縮性の疎水シートに縦方向へ延びる弾性部材が取付けられた防漏側壁では、前記弾性部材の縦方向への弾性収縮力により前記疎水シートに不規則な皺が形成される。前記非伸縮性の疎水シートに、横方向に延び縦方向に凹凸が繰り返される不規則な皺が多く形成されると、防漏側壁は横方向への曲げ剛性が高くなり、横方向において防漏側壁が平面状になって、防漏側壁が装着者の肌表面の形状に追従しにくく、装着者が違和感を感じるようになる。さらには、前記横方向への曲げ剛性が高い部分に大きな外力が作用すると、横方向へ向けて防漏側壁が折れてしまい、折れた状態のまま復元しにくくなる。その結果、防漏側壁の前記装着者の肌への密着性が低下し、横漏れが生じやすくなる。
【０００５】
また、前記不規則な皺の延びる方向が縦方向で皺の凹凸が繰り返す方向が横方向であったり、前記皺の延びる方向が縦方向および横方向に対して斜めであると、吸収性物品が身体に装着された状態で、弾性収縮力の作用している前記疎水性シートが、吸収性物品の受液側で丸められたり不規則に折られたりし、防漏側壁と装着者の肌との接触が不安定になり、防漏側壁と肌との間に隙間が形成されやすく、この場合も横洩れを完全に防止できないものとなる。
【０００６】
本発明は上記従来の課題を解決するものであり、弾性部材により収縮力が与えられる防漏側壁に横方向への曲げ剛性の強い領域を予め形成し、しかも横方向へ剛性差を持たせることで、防漏側壁が横方向に向けて容易に湾曲でき、装着者の肌の形状に合わせて三次元立体形状となりやすい吸収性物品を提供することを目的としている。
【０００７】
【課題を解決するための手段】
本発明は、支持シートと、液吸収層と、前記液吸収層を覆う透液性シートと、受液側表面の幅方向の両側に基端が接合されて縦方向へ延び自由端が受液側から離れて位置する防漏側壁とが設けられている吸収性物品において、
前記防漏側壁は、熱可塑性繊維で形成された不織布または熱可塑性繊維を含む不織布と、縦方向に弾性収縮力を発揮する弾性部材とを有し、
前記防漏側壁を構成する前記不織布には、波の頂部と底部が前記基端から自由端に向けて延び且つ波が縦方向に規則的に繰り返す凹凸皺が成形された剛性領域が設けられており、
前記防漏側壁の前記基端と前記自由端との中間領域に、前記凹凸皺が形成されていないかまたは前記凹凸皺の凹凸高さが低い帯状領域が、前記縦方向に延びて形成され、前記帯状領域と前記自由端の双方に、縦方向へ弾性収縮力を発揮する前記弾性部材が取付けられており、
前記凹凸皺と前記帯状領域との境界が、剛性境界部とされていることを特徴とするものである。
【０００８】
前記本発明では、防漏側壁を形成する不織布が熱可塑性繊維を含むものであり、この不織布が加圧・加熱成形されることにより規則的な凹凸皺が賦型成形されている。この凹凸皺は防漏側壁において横方向に延びるものであるため、この凹凸皺が形成された剛性領域では、横方向の曲げ剛性が高くなっている。よってこの剛性領域では外力により極端に曲げられることがなく、横方向への伸直状態を保つ。ただし基端と自由端との中間領域に剛性境界部が設けられていることで、防漏側壁はこの剛性境界部を境として横方向へ容易に曲げ変形させられることになる。よって、防漏側壁は横方向へ向けて、装着者の肌の湾曲形状に応じて湾曲しやすくなり、防漏側壁が三次元立体形状になりやすくなる。よって防漏側壁が肌に密着しやすくなり、横漏れを効果的に防止できるようになる。
【０００９】
また防漏側壁は不織布製で柔軟であり、しかも前記凹凸皺のピッチを０．３〜１．５ｍｍ、さらに好ましくは０．５〜１．０ｍｍ程度の細かなものにしておくと、肌への当りが柔らかく、装着者が違和感を感じにくいものとなる。
【００１３】
また、前記自由端に設けられている弾性部材の弾性収縮力が、前記剛性境界部付近に設けられている弾性部材の弾性収縮力よりも大きいことが好ましい。
【００１４】
また、前記防漏側壁は、前記基端から延びる不織布が自由端で折り返されて前記基端に至ることにより、または基端から延びる複数の不織布が前記自由端または他の領域で縦方向に接合されることにより少なくとも２枚の不織布により形成されており、前記２枚の不織布では、前記剛性領域と前記剛性境界部とが同じ位置に形成されているものであってもよい。
【００１５】
防漏側壁が２枚の不織布で構成されることで、防漏側壁の防漏効果を高めることができ、しかも前記剛性領域の剛性を高くでき、また剛性境界部を境として防漏側壁が柔軟に変形できるようになる。
【００１６】
【発明の実施の形態】
以下、本発明について図面を参照して説明する。図１は、本発明の吸収性物品として生理用ナプキンを受液側から示す斜視図、図２は図１のＩＩ−ＩＩ線断面を含む部分斜視図であり、防漏側壁の基本的な構造を示す参考例である。図３は図２に示す防漏側壁の縦断面図、図８は前記防漏側壁の自由端を示す部分拡大斜視図である。
【００１７】
図１と図２および図３に示す生理用ナプキン１は、主として下着などの外部装着体へ対面する支持シート２と、装着者側へ位置して排泄液を吸収する液吸収層３と、液吸収層３の受液側表面を覆う透液性シート４を有している。前記透液性シート４の幅方向（Ｘ方向）に向く側端部４ａは、液吸収層３の側方において前記支持シート２の表面に接合されている。
【００１８】
前記生理用ナプキン１の幅方向（Ｘ方向）に向く両側部では、縦方向（Ｙ方向）に延びる対を成す防漏側壁５，５が設けられている。この実施の形態では、それぞれの防漏側壁５が１枚の側壁シート６により形成されている。
【００１９】
前記側壁シート６は、疎水性の不織布で形成されている。側壁シート６の一端部５ａは支持シート２上から透液性シート４の側端部４ａの上にわたって接合されており、側壁シート６は透液性シート４の側端部４ａの上面を基端５ｂとして支持シート２から離れる方向へ延び自由端５ｃで折り返されている。さらに支持シート２側へ戻り、前記透液性シート４の側端部４ａ上に基端５ｄが接合された状態で、側壁シート６の他端部５ｅは、前記支持シート２の上面に接合されている。よって、前記防漏側壁５は、２枚の側壁シート（不織布）６が幅方向（Ｘ方向）に重ねられた２重構造である。
【００２０】
図８に示すように、前記側壁シート６には、波形状の凹凸皺７が形成されている。この凹凸皺７は頂部７ａと底部７ｂが縦方向（Ｙ方向）へ繰り返す波形状であり、前記頂部７ａと底部７ｂは、防漏側壁５の基端５ｂ，５ｄから自由端５ｃの方向へ延びるように形成されている。
【００２１】
図２と図３および図８に示すものでは、前記凹凸皺７が完全に潰された、または前記凹凸皺７よりも凹凸が制限された帯状領域８および８ａが形成され、この帯状領域８および８ａは縦方向（Ｙ方向）に延びている。防漏側壁５では、自由端５ｃにおいて、側壁シート６が前記帯状領域８の部分で折り返されている。そして、この帯状領域８が折り返されている前記自由端５ｃには、内側に弾性部材９が接合されている。
【００２２】
また、前記帯状領域８ａは、防漏側壁５において、基端５ｂ，５ｄと自由端５ｃとの中間に設けられており、前記帯状領域８ａは縦方向へ連続して延びている。ただし、前記帯状領域８ａが間隔を開けて前記縦方向に間欠的に延びていてもよい。図３に示すように、防漏側壁５を構成する２枚の側壁シート６，６（自由端５ｃで折り返された２枚の側壁シート６，６）のそれぞれにおいて、ほぼ同じ高さ位置に前記凹凸皺７と帯状領域８ａが形成されている。
【００２３】
この防漏側壁５では、多数の凹凸皺７が規則的に設けられている領域が、基端５ｂ，５ｄから自由端５ｃに向けて（横方向；Ｘ方向に）曲げ剛性が高い剛性領域となっている。また前記帯状領域８ａは、前記剛性領域に比べて、前記基端から自由端に向う方向への曲げ剛性が低い低剛性領域となっている。そして、前記凹凸皺７が形成されている剛性領域と、前記帯状領域８である低剛性領域との境界線が、剛性境界部１１となっている。図２および図３に示すように、防漏側壁５が、折り返された２枚の側壁シート６，６で形成されている場合、双方の側壁シート６，６の同じ位置に前記剛性境界部１１が形成されてることが好ましい。
【００２４】
前記側壁シート６はそれ自体が非伸縮性または低伸縮性の不織布で形成されているが、前記凹凸皺７が形成されているため、この凹凸皺７の伸び縮みにより縦方向（Ｙ方向）へ若干の弾性収縮力を発揮できるようになっている。また自由端５ｃに前記弾性部材９が設けられていることで、前記自由端５ｃには縦方向（Ｙ方向）への強い弾性収縮力が作用している。
【００２５】
図１に示すように、生理用ナプキン１の縦方向（Ｙ方向）の両端部では、防漏側壁５が幅方向の外側へ倒された状態で受液側表面に接合されている。よって前記弾性部材９によるＹ方向の弾性収縮力により、生理用ナプキン１は縦方向（Ｙ方向）に向けて受液側が凹状になるように湾曲し、また防漏側壁５は自由端５ｃが支持シート２から離れるように立ち上がる。なお、図２および図３に示す実施の形態では、基端５ｂ，５ｄに対して自由端５ｃが幅方向の外側へ向くように、防漏側壁５，５は斜めの向きに立ち上がる。
【００２６】
この生理用ナプキン１の前記防漏側壁５を形成する側壁シート６では、凹凸皺７を有している部分では基端５ｂ，５ｄから自由端５ｃに向う方向での曲げ剛性が高い剛性領域となっているが、基端５ｂ，５ｄと自由端５ｃとの中間領域に、低剛性領域である帯状領域８ａおよび剛性境界部１１が形成されているため、前記帯状領域８ａまたは前記剛性境界部１１を境として、防漏側壁５が図３において（ｉ）および（ｉｉ）で示す方向へ折り曲げ変形しやすくなっている。
【００２７】
一方、防漏側壁５は凹凸皺７の凹凸が並ぶ方向である縦方向（Ｙ方向）へは柔らかく変形できる。よって防漏側壁５全体は、身体の股部の形状に応じて３次元立体形状に追従して自由に変形できるようになる。しかも前記凹凸皺７が形成されている剛性領域では、曲げ剛性が高く平面形状を維持しようとする力が作用するため、前記帯状領域８ａおよび剛性境界部１１以外の部分の、前記凹凸皺７が形成されている部分で、防漏側壁５が不規則に折り曲がったり、さらには不規則に折り返されたまま復元できなくなるという不都合が生じなくなる。
【００２８】
よって、防漏側壁５は肌の表面形状に追従して肌に密着しやすく、肌との間に隙間が形成されにくくなって、横洩れ防止効果が高くなる。また、防漏側壁５を形成する側壁シート６が不織布であり、前記凹凸皺７の凹凸ピッチが０．３ｍｍ以上で１．５ｍｍ以下、好ましくは０．５ｍｍ以上で１．０ｍｍ以下の細かなものであるため、肌への当りが柔軟であり、しかも前記のように三次元立体形状に変形しやすいため、装着者は、前記防漏側壁が当たるときの違和感を感じにくい。
【００２９】
この生理用ナプキン１の受液側で受け止められた経血は、透液性シート４を透過して液吸収層３に吸収されるが、防漏側壁５の前記液吸収層３側に面する側壁シート６に経血が与えられたときには、経血が側壁シート６の表面では凹凸皺７の底部７ｂを伝わって透液性シート４上に導かれる。図に示す実施の形態では、液吸収層３の側方に延びている透液性シート４の側端部４ａ上に防漏側壁５が接合されているため、前記のように、側壁シート６の表面を基端側に伝わった経血は前記透液性シート４に与えられて、さらに前記液吸収層３に導かれやすくなっている。また、前記防漏側壁５が、液吸収層３の上を覆う液透過性シート４の上面から立ち上がる構造にすると、側壁シート６の表面を伝わった経血が前記透液シート４を透過して前記液吸収層３に吸収されやすくなる。
【００３０】
図９は、側壁シート６に凹凸皺７および帯状領域８ａ（および帯状領域８）を形成し、同時に凹凸皺７と帯状領域８ａとの境界線に剛性境界部１１を形成するための熱プレス工程の説明図である。なお図９では、１つの帯状領域８ａのみが形成されるものを示しているが、図９と同様の熱プレス工程で、複数の帯状領域を同時に形成することが可能である。
【００３１】
この熱プレス工程では、熱可塑性繊維で形成されたまたは熱可塑性繊維を含むメルトブロン不織布などの不織布を成形ロール２１と２２とで挟んで熱プレスする。成形ロール２１と２２は、互いに噛み合った状態でα方向とβ方向へ回転する。
【００３２】
成形ロール２１の表面には成形面が形成されている。図１０（Ａ）は成形ロール２１の表面の成形面を平面に展開して示している。成形ロール２１の成形面は、ロールの軸方向に延びるストライプエンボス状の成形リブ２３と溝２４とが回転方向（α方向）へ一定のピッチで繰り返して形成されている。成形ロール２１の軸方向の中央部分には、前記成形リブ２３の上面と連続し且つ回転方向（α方向）へ連続する凸周面２５が形成されている。
【００３３】
図１０（Ｂ）は他方の成形ロール２２の表面の成形面を展開して示している。成形ロール２２の表面の成形面では、ロールの軸方向に延びるストライプエンボス状の成形リブ２６と溝２７とが回転方向（β方向）へ一定のピッチで繰り返して形成されている。成形ロール２２の軸方向の中央部では、溝２７の底部に連続する凹周面２８が回転方向（β方向）に沿って連続して形成されている。
【００３４】
成形ロール２１と成形ロール２２とが噛み合うと、成形ロール２１の成形リブ２３が成形ロール２２の溝２７内に、成形ロール２２の成形リブ２６が成形ロール２１の溝２４に入り込むように成形リブ２３と２６とが噛み合う。このとき成形ロール２１の凸周面２５が、成形ロール２２の凹周面２８内に噛み込む。
【００３５】
図９に示すように、不織布６Ａを成形ロール２１と２２との間に挟んで、ロール回転により繰り出すと、成形ロール２１、２２の成形面により、波状の凹凸皺７と帯状領域８ａおよび剛性境界部１１が同時に形成されて側壁シート６が得られる。
【００３６】
側壁シート６は、メルトブロン不織布、エアースルー不織布、メルトブロン不織布、スパンボンド不織布、ポイントボンド不織布、エアレイド不織布などである。ただし不織布と樹脂フィルムとのラミネート材であってもよい。
【００３７】
これら不織布６Ａは、ＰＥ、ＰＰ、ＰＥＴ繊維、またはＰＥ／ＰＰ、ＰＥ／ＰＥＴなどの芯鞘型やサイドバイサイド型の複合合成繊維により形成されている。
【００３８】
図１１（Ａ）は、成形ロール２２の成形面を示す図１０（Ｂ）のＡ−Ａ線の断面図、図１１（Ｂ）は、図１０（Ｂ）のＢ−Ｂ線の断面図である。成形ロール２１と２２の成形面は例えば前記不織布６Ａを形成する熱可塑性樹脂の融点から１０℃から５０℃低い温度に設定することが好ましい。
【００３９】
図１１（Ａ）では、成形リブ２６の回転方向（β方向）での配列ピッチをβ１、前記配列ピッチβ１間において成形リブ２６と溝２７とを通過する延べ寸法をβ２で表している。成形ロール２１と２２とで不織布６Ａが挟持されて繰り出されるときに、不織布６Ａには、成形歪｛（β２−β１）／β１｝が与えられる。このときの成形歪は、不織布の繰り出し方向への破断伸度（破断歪）よりも小さく設定される。これにより不織布６Ａには波状の凹凸皺７が破断されることなく形成される。
【００４０】
図１１（Ｂ）において、前記凹周面２８の開口端のロール軸方向の距離をＯ１、前記凹周面２８の幅方向の凹凸を加味した延べ寸法をＯ２とすると、不織布６Ａには、ロール軸方向（不織布６Ａの幅方向）へ成形歪｛（Ｏ２−Ｏ１）／Ｏ１｝が与えられる。この成形歪も、不織布６Ａの幅方向への破断伸度（破断歪）以下に設定される。このとき、成形ロール２１と２２により不織布６Ａの幅方向の中央部に繰り出し方向に延びる帯状領域８ａが形成されるとともに、凹凸皺７と平坦面８ａとの境界線に、剛性境界部１１が形成される。
【００４１】
なお、不織布に破断を生じさせることなく前記剛性境界部１１を形成するためには、前記凹周面２８の幅方向両側部の立ち上がり角度θが９０°以上で１３５°以下であることが好ましい。
【００４２】
図１２は、側壁シート６の前記帯状領域８ａが形成されている部分を拡大して示している。前記波状の凹凸皺７では、波の頂部７ａと底部７ｂにおいて繊維密度が高く、波の側壁７ｃにおいて繊維密度が低くなっている。よって凹凸皺７はクッション性を有している。また、前記帯状領域８ａ（帯状領域８）では、不織布６Ａを構成する繊維が圧縮されて繊維密度が高くなっている。ただし、帯状領域８ａでは、側壁シート６の幅方向の曲げ剛性が、前記凹凸皺７が形成されている剛性領域よりも低くなっている。
【００４３】
前記頂部７ａと底部７ｂおよび帯状領域８ａ（および帯状領域８）の高密度部分の密度は０．１ｇ／ｃｍ3程度が好ましい。
【００４４】
図１１（Ａ）に示すピッチβ１すなわち凹凸皺７のピッチは、０．３〜１．５ｍｍが好ましく、さらに好ましくは０．５〜１ｍｍ程度である。この成形面で短いピッチの凹凸皺７を形成すると、装着者の肌への接触感触が良好になる。また防漏側壁５の基端５ｂから自由端５ｃまでの立ち上がり高さ寸法は５〜２５ｍｍの範囲が好ましい。
【００４５】
前記防漏側壁５の自由端５ｃに取付けられる前記弾性部材９は天然ゴム、合成ゴム、ポリウレタン、スチレン−ブタジエン共重合体から形成でき、その形状としては、糸状、フィラメント状、フィルム状、帯状（ベルト状）などの形態を取り得る。またはエラスチックスパンボンド不織布やエラスチックメルトブロン不織布などの伸縮性不織布から切断したものなども使用可能である。
【００４６】
弾性部材９が設けられた一対の側壁シート６は、１．２〜１．８倍程度伸長させた状態で、生理用ナプキン１に接合されている。
【００４７】
支持シート２は不透液性のシートで形成されることが好ましい。この支持シート２は、通気性の樹脂フィルム、撥水処理されたスパンボンドまたはスパンレースなどの不織布、あるいは不織布の裏面に通気性の樹脂フィルムが接合されたものである。なお支持シート２の裏面には、下着などの外部装着体などに掛止させるための粘着層が設けられ、生理用ナプキンの使用時まで粘着層を保護するための離型紙が設けられることが好ましい。
【００４８】
前記透液性シート４は、親水処理されたＰＥ繊維、ＰＰ繊維、ＰＥＴ繊維、またはこれらの複合繊維などで形成された不織布であり、スパンボンド不織布、スパンレース不織布などである。あるいは開孔処理が施された樹脂シートである。
【００４９】
液吸収層３は、粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【００５０】
図４、図５、図６および図７は、前記不織布６Ａで形成された防漏側壁５を示すものであり、図４および図７は参考例であり、図５および図６は本発明の実施の形態である。
【００５１】
図４に示すものでは、不織布６Ａで形成された側壁シート６が、前記基端５ｂから立ち上がり、自由端５ｃで折り返されているが、折り返し端末５ｄが自由端５ｃの部分で止められている。したがって、防漏側壁５は実質的に１枚の側壁シート６で形成されている。そしてこの１枚の側壁シート６に、凹凸皺７と帯状領域８ａおよび剛性境界部１１が形成されている。
【００５２】
また、図３に示すように、側壁シート６が自由端５ｃで折り返されて、防漏側壁５が２枚の側壁シート６で形成されている場合、液吸収層３に面している側の図３の左側の側壁シート６にのみ凹凸皺７および帯状領域８ａが形成され、外側に向く（図示右側の）側壁シート６は前記凹凸皺７を有しない平坦な不織布であってもよい。
【００５３】
図５とその断面図である図６に示しているものでは、図３に示すのとほぼ同じ構造の防漏側壁５を有しているが、この防漏側壁５では、自由端５ｃに弾性部材９が設けられているとともに、中腹部に設けられた前記帯状領域８ａに他の弾性部材９ａが設けられている。この弾性部材９ａも前記弾性部材９と同様に縦方向（Ｙ方向）へ弾性収縮力を発揮するものである。
【００５４】
前記弾性部材９および９ａは、共に図１に示す生理用ナプキン１の縦方向の両端まで延びて、防漏側壁５の縦方向両端部と共に受液側表面に接合されている。したがって、図５と図６に示すものでは防漏側壁５が前記弾性部材９ａが設けられている部分で縦方向の張力が大きくなっており、この張力の大きい弾性部材９ａの部分を境として防漏側壁５が折り曲がりやすくなっている。
【００５５】
この場合に、自由端５ｃ側に設けられた弾性部材９の収縮力が、前記弾性部材９ａの収縮張力よりも大きいことが好ましい。弾性部材９の収縮張力を大きくしておくことにより、この弾性部材９が設けられた自由端５ｃが中間の弾性部材９ａが設けられた部分よりも受液側において支持シート２から離れた位置となり、その結果図６に示すように、防漏側壁５がくの字形状に折り曲がった状態で立ち上がる形状を保てるようになる。
【００５６】
図７に示す参考例では、側壁シート６が自由端５ｃで折り返されて２層構造の防漏側壁５が形成されている。ただし自由端５ｃには弾性部材９が設けられておらず、中間の帯状領域８ａの部分にのみ弾性部材９ａが取付けられている。この実施の形態では、前記弾性部材９ａの弾性収縮力により防漏側壁５が受液側から立ち上がるようになる。ただし弾性部材９ａが形成されている部分から先の部分が自由に変形しやすく、弾性部材９ａから自由端５ｃまでの部分は肌に柔らかくフィットするようになる。
【００５７】
図１３は側壁シート６の第２の実施の形態を示している。
図１３に示すものでは、凹凸皺７Ａと凹凸皺７Ｂの波の周期が符号１２の部分でずれている。すなわち、凹凸皺７Ａの波の頂部７ａが、凹凸皺７Ｂの波の底部７ｂとほぼ一致している。このように凹凸皺７Ａと凹凸皺７Ｂが互いに不連続であり、その不連続部分が縦方向に延びる剛性境界部１２となっている。この実施の形態では、凹凸皺７Ａが形成されている剛性領域と、凹凸皺７Ｂが形成されている剛性領域とが、前記剛性境界部１２を境として折れ曲がることができる。
【００５８】
なお、前記実施の形態では、防漏側壁５の基端５ｂ，５ｄと自由端５ｃとの中間領域に１つの帯状領域８ａが形成されているが、前記中間領域に複数の帯状領域８ａが形成されていてもよい。
【００５９】
また、凹凸皺７のピッチが、防漏側壁５の基端５ｂ側で狭く、自由端５ｃ側へ広くなるように、凹凸皺７が基端５ｂから離れる方向へ放射状に開いているものであってもよい。この場合、側壁シート６に付着した経血は、凹凸皺７に沿って基端側へ流れるときに、基端５ｂ側で集められるようになり、防漏側壁５を伝わった経血が液吸収層３に集められて吸収されるようになる。
【００６０】
また、図２以下に示すものでは防漏側壁５が１枚の側壁シート６を折り返して形成されているが、複数の側壁シート６が基端から立ち上がり、自由端５ｃの部分またはそれ以外の領域で２枚の側壁シートが縦方向に延びる接合線により接合されていてもよい。
【００６１】
以上、本発明の吸収性物品が生理用ナプキンである実施例について述べたが、本発明の吸収性物品は使い捨ておむつ、尿吸収パッドや他の吸収性物品にも適用可能である。
【００６２】
【発明の効果】
以上詳述した本発明によれば、防漏側壁は肌に当たったときに違和感がなく、また防漏側壁が身体の肌表面に沿って三次元立体形状に変形しやすく、また不規則に折られることがない。よって防漏側壁と肌との密着性がよく、横漏れ防止効果を高くできる。
【図面の簡単な説明】
【図１】本発明の生理用ナプキンを示す斜視図、
【図２】図１に示す生理用ナプキンのＩＩ−ＩＩ線の断面を含む部分斜視図、
【図３】図２に示す生理用ナプキンの縦断面図、
【図４】図２に示す生理用ナプキンの変形例を示す断面図、
【図５】本発明の実施の形態の生理用ナプキンの防漏側壁を示す断面を含む部分斜視図、
【図６】図５に示す生理用ナプキンの縦断面図、
【図７】図２に示す生理用ナプキンの変形例を示す断面図、
【図８】側壁シートの自由端部分を示す拡大斜視図、
【図９】側壁シートを形成する成形ロールの斜視図、
【図１０】（Ａ）（Ｂ）は図９に示す成形ロールの成形面の展開平面斜視図、
【図１１】（Ａ）（Ｂ）は図１０（Ｂ）のＡ−Ａ線およびＢ−Ｂ線の拡大断面図、
【図１２】凹凸皺と帯状領域および剛性境界部が形成された側壁シートの部分拡大斜視図、
【図１３】側壁シートの第２の実施の形態を示す部分斜視図、
【符号の説明】
１  生理用ナプキン（吸収性物品）
２  支持シート
３  液吸収層
４  透液性シート
５  防漏側壁
５ｂ，５ｄ  基端
５ｃ  自由端
６  側壁シート
７，７Ａ，７Ｂ  凹凸皺
７ａ  波の頂部
７ｂ  波の底部
８，８ａ  帯状領域
９，９ａ  弾性部材
１１，１２  剛性境界部
【図１】
0003859420.tif 000002
【図２】
0003859420.tif 000003
【図３】
0003859420.tif 000004
【図４】
0003859420.tif 000005
【図５】
0003859420.tif 000006
【図６】
0003859420.tif 000007
【図７】
0003859420.tif 000008
【図８】
0003859420.tif 000009
【図９】
0003859420.tif 000010
【図１０】
0003859420.tif 000011
【図１１】
0003859420.tif 000012
【図１２】
0003859420.tif 000013
【図１３】
0003859420.tif 000014